(57)【特許請求の範囲】
【請求項１】
フィッシングルアーであって、
第一の幅を有する軸を備える針部と、
第二の幅と、前側部分と、後側部分と、長手方向軸とを有する本体部と、
前記本体部の前記前側部分から延在しているワイヤー部と、
前記本体部の前記前側部分に近接して配置される第一の先端部と、
第一の側部と、第二の側部と、前記ワイヤー部が貫通する複数の穴とを有するブレード部とを、備え、
前記針部は、前記本体部の後側部分から延在し、
前記ワイヤー部は、前記ブレード部の前記複数の穴の１つを貫通して前記ブレードの前記本体部の側とは反対側に延在し、延在した所で、屈曲される屈曲部を備え、前記屈曲部から前記ブレード部の前記複数の穴の別の１つを貫通して前記ブレード部の前記本体部の側に延在し、
前記ブレード部の大部分は、前記本体部より上側に位置し、前記ブレード部の一部分は、前記本体部の上部より下側に位置しており、水中で前記フィッシングルアーを前側に引くと、前記ブレード部が、前記ワイヤー部を中心にして、前記ブレード部の前記第一の側部と前記第二の側部が前記本体部に向かって交互に振動し、前記ブレード部の振動動作は、前記ワイヤー部と、前記本体部の前方部分に前記ブレード部の前記第一の先端部の近傍が衝突すること、とにより制限され、
前記ブレード部は、前記第一の先端部と反対に位置する第二の先端部を有し、前記第一の先端部の幅は、前記第二の先端部の幅よりも小さい、フィッシングルアー。
【請求項２】
フィッシングルアーであって、
第一の幅を有する軸を備える針部と、
第二の幅と、前側部分と、後側部分と、長手方向軸とを有する本体部と、
前記本体部の前記前側部分から延在しているワイヤー部と、
前記本体部の前記前側部分に近接して配置される第一の先端部と、
第一の側部と、第二の側部と、前記ワイヤー部が貫通する複数の穴とを有するブレード部とを、備え、
前記針部は、前記本体部の後側部分から延在し、
前記ワイヤー部は、前記ブレード部の前記複数の穴の１つを貫通して前記ブレードの前記本体部の側とは反対側に延在し、延在した所で、屈曲される屈曲部を備え、前記屈曲部から前記ブレード部の前記複数の穴の別の１つを貫通して前記ブレード部の前記本体部の側に延在し、
前記ブレード部の大部分は、前記本体部より上側に位置し、前記ブレード部の一部分は、前記本体部の上部より下側に位置しており、水中で前記フィッシングルアーを前側に引くと、前記ブレード部が、前記ワイヤー部を中心にして、前記ブレード部の前記第一の側部と前記第二の側部が前記本体部に向かって交互に振動し、前記ブレード部の振動動作は、前記ワイヤー部と、前記本体部の前方部分に前記ブレード部の前記第一の先端部の近傍が衝突すること、とにより制限され、
前記ブレード部は、前記第一の先端部と反対に位置する第二の先端部を有し、前記第一の先端部の幅は、前記第二の先端部の幅よりも大きい、フィッシングルアー。
【請求項３】
前記ワイヤー部は、前記本体部の前記前側部分に近接した部分の直径が、前記屈曲部の近傍の直径よりも大きくなるように、テーパー状になっている、請求項１又は２に記載のフィッシングルアー。
【請求項４】
前記屈曲部から前記ブレード部の前記複数の穴の別の１つを貫通して前記ブレード部の前記本体部の側に延在する、前記ワイヤー部は、前記屈曲部の近傍の直径が、前記ブレード部の前記本体部の側に延在した部分の直径よりも大きくなるようにテーパー状になっている、請求項１〜３のいずれか一項に記載のフィッシングルアー。
【請求項５】
前記ワイヤー部は、前記屈曲部から前記ブレード部の前記複数の穴の別の１つを貫通して前記ブレード部の前記本体部の側に延在した所で、前記ワイヤーが貫通して延在する貫通穴を有する、略球形のビーズを備え、前記ワイヤーは前記略球形のビーズを貫通後、先端が曲げられている、請求項１〜４のいずれか一項に記載のフィッシングルアー。
【請求項６】
前記略球形のビーズの前記ブレードと反対側の前記ワイヤー部には、該ワイヤーに固定された略球形ビーズを更に備える、請求項５に記載のフィッシングルアー。
【請求項７】
前記本体部に巻きつけられているスカート部を有する、請求項１〜６のいずれか一項に
記載のフィッシングルアー。
【請求項８】
前記ワイヤー部の前記屈曲部にフィッシングラインが取り付けられるようになっている、請求項１〜７のいずれか一項に記載のフィッシングルアー。
【請求項９】
前記針部の前記軸は、前記本体部の前記後側部分から、前記本体部の前記長手方向軸に沿って延在する、請求項１〜８のいずれか一項に記載のフィッシングルアー。
【請求項１０】
前記ワイヤー部は、前記本体部の前記前側部分から、前記本体部の前記長手方向軸に沿って延在する、請求項１〜９のいずれか一項に記載のフィッシングルアー。
【請求項１１】
前記本体部の前記長手方向軸に沿って延在する前記ワイヤー部は、前記長手方向軸に対して傾斜している、請求項１０に記載のフィッシングルアー。
【請求項１２】
前記ワイヤー部は、前記本体部の前記前側部分から、前記屈曲部の近傍まで延在する、円筒形部材の中を通る、請求項１〜１１のいずれか一項に記載のフィッシングルアー。
【請求項１３】
前記ブレード部の前記振動動作は、水中で、音波の伝播を生成する、請求項１〜１２のいずれか一項に記載のフィッシングルアー。
【請求項１４】
フィッシングルアーを製造する方法であって、前側部分と、後側部分と、長手方向軸とを有する本体部を提供する段階であって、
前記本体部は、該本体部の前記前側部分から前記長手方向軸に沿って、延在するワイヤー部と、前記本体部の前記後側部分から前記長手方向軸に沿って延在する軸を有する針部とを備え、前記本体部は、該本体部の前記長手方向軸に沿う前記ワイヤー部と前記針部の周りでしっかりと固定される、段階と、
前記本体部の前記前側部分に近接して配置される第一の先端部と、
第一の側部と、第二の側部と、前記ワイヤー部が貫通する複数の穴と
を有するブレード部とを提供する段階と、
前記ワイヤー部は、前記ブレード部の前記複数の穴の１つに貫通して前記ブレード部の前記本体部の側とは反対側に延在され、延在した所で、屈曲される屈曲部を備え、前記屈曲部から前記ブレード部の前記複数の穴の別の１つを貫通して前記ブレード部の前記本体部の側に延在され、前記ブレード部の大部分を、前記本体部より上側に位置付け、前記ブレード部の一部分を、前記本体部の上部より下側に位置付ける段階と、を有し、水中で前記フィッシングルアーを前側に引くと、前記ブレード部が、前記ワイヤー部を中心にして、前記ブレード部の前記第一の側部と前記第二の側部が前記本体部に向かって交互に振動し、前記ブレード部の振動動作は、前記ワイヤー部と、前記本体部の前方部分に前記ブレード部の前記第一の先端部の近傍が衝突すること、とにより制限され、
前記ブレード部は、前記第一の先端部と反対に位置する第二の先端部を有し、前記第一の先端部の幅は、前記第二の先端部の幅よりも小さい、フィッシングルアーを製造する方法。
【請求項１５】
フィッシングルアーを製造する方法であって、前側部分と、後側部分と、長手方向軸とを有する本体部を提供する段階であって、
前記本体部は、該本体部の前記前側部分から前記長手方向軸に沿って、延在するワイヤー部と、前記本体部の前記後側部分から前記長手方向軸に沿って延在する軸を有する針部とを備え、前記本体部は、該本体部の前記長手方向軸に沿う前記ワイヤー部と前記針部の周りでしっかりと固定される、段階と、
前記本体部の前記前側部分に近接して配置される第一の先端部と、
第一の側部と、第二の側部と、前記ワイヤー部が貫通する複数の穴と
を有するブレード部とを提供する段階と、
前記ワイヤー部は、前記ブレード部の前記複数の穴の１つに貫通して前記ブレード部の前記本体部の側とは反対側に延在され、延在した所で、屈曲される屈曲部を備え、前記屈曲部から前記ブレード部の前記複数の穴の別の１つを貫通して前記ブレード部の前記本体部の側に延在され、前記ブレード部の大部分を、前記本体部より上側に位置付け、前記ブレード部の一部分を、前記本体部の上部より下側に位置付ける段階と、を有し、
水中で前記フィッシングルアーを前側に引くと、前記ブレード部が、前記ワイヤー部を中心にして、前記ブレード部の前記第一の側部と前記第二の側部が前記本体部に向かって交互に振動し、前記ブレード部の振動動作は、前記ワイヤー部と、前記本体部の前方部分に前記ブレード部の前記第一の先端部の近傍が衝突すること、とにより制限され、
前記ブレード部は、前記第一の先端部と反対に位置する第二の先端部を有し、前記第一の先端部の幅は、前記第二の先端部の幅よりも大きい、フィッシングルアーを製造する方法。
【請求項１６】
前記ワイヤー部は、前記本体部の前記前側部分に近接した部分の直径が、前記屈曲部の近傍の直径よりも大きくなるように、テーパー状になっている、請求項１４又は１５に記載の方法。
【請求項１７】
前記屈曲部から前記ブレード部の前記複数の穴の別の１つを貫通して前記ブレード部の前記本体部の側に延在する、前記ワイヤー部は、前記屈曲部の近傍の直径が、前記ブレード部の前記本体部の側に延在した部分の直径よりも大きくなるようにテーパー状になっている、請求項１４〜１６のいずれか一項に記載の方法。
【請求項１８】
前記ワイヤー部は、前記屈曲部から前記ブレード部の前記複数の穴
の別の１つを貫通して前記ブレード部の前記本体部の側に延在した所で、前記ワイヤー部が貫通して延在する貫通穴を有する、略球形のビーズを取り付ける段階を含み、前記ワイヤーは前記略球形のビーズを貫通後、先端が曲げられている、請求項１４〜１７のいずれか一項に記載の方法。
【請求項１９】
前記略球形のビーズの前記ブレードと反対側の前記ワイヤー部には、該ワイヤーに固定された略球形ビーズを更に備える、請求項１８に記載の方法。
【請求項２０】
スカート部分を前記本体部に取り付ける段階を含む、請求項１４〜１９のいずれか一項に記載の方法。
【請求項２１】
前記針部の前記軸は、前記本体部の前記後側部分から、前記本体部の前記長手方向軸に沿って延在する、請求項１４〜２０のいずれか一項に記載の方法。
【請求項２２】
前記ワイヤー部は、前記本体部の前記前側部分から、前記本体部の前記長手方向軸に沿って延在する、請求項１４〜２１のいずれか一項に記載の方法。
【請求項２３】
前記本体部の前記前側部分から前記長手方向軸に沿って延在する前
記ワイヤー部は、前記長手方向行に対して傾斜して取り付けられる段階を含む、請求項２２に記載の方法。
【請求項２４】
前記ワイヤー部は、前記本体部の前記前側部分から、前記屈曲部の近傍まで延在する、円筒形部材の中を通る、請求項１４〜２３のいずれか一項に記載の方法、
【請求項２５】
フィッシング方法であって、
フィッシングルアーにフィッシングラインを固定する段階であって、
前記フィッシングルアーは、第一の幅を有する軸を備える針部と、
第二の幅と、前側部分と、後ろ側部分と、長手方向軸とを有する本体部と、前記本体部の前記前側部分から延在しているワイヤー部と、
前記本体部の前記前側部分に近接して配置される第一の先端部と、第一の側部と、第二の側部と、前記ワイヤー部が貫通する複数の穴とを有するブレード部とを、備え、
前記針部は、前記本体部の後側部分から延在し、前記ワイヤー部は、前記ブレード部の前記複数の穴の１つを貫通して前記ブレードの前記本体部の側とは反対側に延在し、延在した所で、屈曲される屈曲部を備え、前記屈曲部から前記ブレード部の前記複数の穴の別の１つを貫通して前記ブレード部の前記本体部の側に延在し、
前記ワイヤー部の屈曲部にフィッシングラインを取り付けるようになっていて、前記ブレード部の大部分は、前記本体部より上側に位置し、前記ブレード部の一部分は、前記本体部の上部より下側に位置している、段階と、
水中で前記フィッシングルアーを前側に引く段階であって、
前記ブレード部が、前記ワイヤー部を中心にして、前記ブレード部の前期第一の側部と前記第二の側部が前記本体部に向かって交互に振動し、前記ブレード部の振動動作は、前記ワイヤー部と、前記本体部の前方部分に前記ブレード部の前記第一の先端部の近傍が衝突すること、とにより制限される、段階とを有し、
前記ブレード部は、前記第一の先端部と反対に位置する第二の先端部を有し、前記第一の先端部の幅は、前記第二の先端部の幅よりも小さい、フィッシング方法。
【請求項２６】
フィッシング方法であって、
フィッシングルアーにフィッシングラインを固定する段階であって、
前記フィッシングルアーは、第一の幅を有する軸を備える針部と、
第二の幅と、前側部分と、後ろ側部分と、長手方向軸とを有する本体部と、前記本体部の前記前側部分から延在しているワイヤー部と、
前記本体部の前記前側部分に近接して配置される第一の先端部と、第一の側部と、第二の側部と、前記ワイヤー部が貫通する複数の穴とを有するブレード部とを、備え、
前記針部は、前記本体部の後側部分から延在し、前記ワイヤー部は、前記ブレード部の前記複数の穴の１つを貫通して前記ブレードの前記本体部の側とは反対側に延在し、延在した所で、屈曲される屈曲部を備え、前記屈曲部から前記ブレード部の前記複数の穴の別の１つを貫通して前記ブレード部の前記本体部の側に延在し、
前記ワイヤー部の屈曲部にフィッシングラインを取り付けるようになっていて、前記ブレード部の大部分は、前記本体部より上側に位置し、前記ブレート部の一部分は、前記本体部の上部より下側に位置している、段階と、
水中で前記フィッシングルアーを前側に引く段階であって、
前記ブレード部が、前記ワイヤー部を中心にして、前記ブレード部の前期第一の側部と前記第二の側部が前記本体部に向かって交互に振動し、前記ブレード部の振動動作は、前記ワイヤー部と、前記本体部の前方部分に前記ブレード部の前記第一の先端部の近傍が衝突すること、とにより制限される、段階とを有し、
前記ブレード部は、前記第一の先端部と反対に位置する第二の先端部を有し、前記第一の先端部の幅は、前記第二の先端部の幅よりも大きい、フィッシング方法。
【発明の詳細な説明】
【技術分野】
【０００１】
本発明は、フィッシングルアーに関する。
【背景技術】
【０００２】
釣り中に針が水中（例えば、淡水、海水）の障害物に引っ掛かるのを防止するフィッシングルアーや、ルアーの動きを餌となる魚やえびなどの甲殻類の動きに真似るフィッシングルアーが開発されている。【０００３】
特許文献１は、ブレードの横から横への動きを制限することにより、ルアーがローリングして針が下側を向いて水中の障害物に引っ掛かるのを防止するとともに、この制限されたブレードの横から横への動きが、素早く、制御された、ブレードの振動動作を生み出して、餌となる魚やえびなどの甲殻類の動きにまねることのできるフィッシングルアーを開示している。【０００４】
特許文献２は、ルアー本体に動きを与え、高い集魚効果を得ることが可能なルアーを開示し、ルアー１はルアー本体２とブレード３とを備える。ブレードアイ２７にスプリットリング５が連結される。スプリットリング５を介してブレード３をブレード２７に連結させることで、ルアー本体２に対するブレード３の回転を制限し、ルアー本体２を動作させることが可能となる。
【先行技術文献】
【特許文献】
【０００５】
【特許文献１】米国特許第９２５３９６７号明細書
【特許文献２】特開２０１６−８２９０４号公報
【発明の概要】
【発明が解決しようとする課題】
【０００６】
しかしながら、特許文献１の発明では、水中でフィッシングラインを引っ張らない場合には、ブレードがルアーの下側に下がり、ブレードの振動動作が生じない。また、特許文献２の発明では、水中の障害物に針が引っ掛かることを防ぐことはできない。
【課題を解決するための手段】
【０００７】
本願発明は、引用文献１と引用文献２の上述した課題を解決することを目的とするものである。【０００８】
第一の発明では、フィッシングルアーであって、第一の幅を有する軸を備える針部と、第二の幅と、前側部分と、後側部分と、長手方向軸とを有する本体部と、上記本体部の上記前側部分から延在しているワイヤー部と、上記本体部の上記前側部分に近接して配置される第一の先端部と、第一の側部と、第二の側部と、上記ワイヤー部が貫通する複数の穴とを有するブレード部とを、備え、上記針部は、上記本体部の後側部分から延在し、上記ワイヤー部は、上記ブレード部の上記複数の穴の１つを貫通して上記ブレードの上記本体部の側とは反対側に延在し、延在した所で、屈曲される屈曲部を備え、上記屈曲部から上記ブレード部の上記複数の穴の別の１つを貫通して上記ブレードの上記本体部の側に延在して、上記ブレード部の大部分は、上記本体部より上側に位置しており、水中（例えば、淡水、海水）で上記フィッシングルアーを前側に引くと、上記ブレード部が、上記ワイヤー部を中心にして、上記ブレード部の上記第一の側部と上記第二の側部が上記本体部に向かって交互に振動し、上記ブレード部の振動動作は、上記ワイヤー部と、上記本体部の前方部分に上記ブレード部の上記第一の先端部の近傍が衝突すること、とにより制限される。これにより、フィッシングルアーがローリングして針部が下側を向いて水中（例えば、淡水、海水）の障害物に引っ掛かるのを防止するとともに、この制限されたブレード部の第一の端部と第二の端部の本体部に向かう交互の振動の動きが、素早く、制御された、ブレード部の振動動作を生み出して、餌となる魚やえびなどの甲殻類の動きにまねることができ、集魚効果を生じる。さらに、常にブレード部の大部分が本体部の上側にあるため、本体部へのブレードの第一の端部と第二の端部の本体部に向かう交互の振動の動作が、フィッシングラインの引っ張りを緩めても生じ、水中（例えば、淡水、海水）におけるルアー落下時には、ルアーが左右に揺れながら落ち、集魚効果が期待できる。【０００９】
第二の発明では、上記本体部に巻きつけられているスカート部を有する。これにより、さらに餌となる魚やえびなどの甲殻類に似せることができる。【００１０】
第三の発明では、上記ワイヤー部の屈曲部にフィッシングラインが取り付けられるようになっている。これにより、簡単にフィッシングラインをフィッシングルアーに取り付けることができる。【００１１】
第四の発明では、上記ブレード部は、上記第一の先端部と反対に位置する第二の先端部を有し、上記第一の先端部の幅は、上記第二の先端部の幅よりも小さい。これにより、特定の魚に適した動きをルアーに与えることができる。【００１２】
第五の発明では、上記ブレード部は、上記第一の先端部と反対に位置する第二の先端部を有し、上記第一の先端部の幅は、上記第二の先端部の幅よりも大きい。これにより、特定の魚に適した動きをルアーに与えることができる。【００１３】
第六の発明では、上記針部の上記軸は、上記本体部の上記後側部分から、上記本体部の上記長手方向軸に沿って延在する。これにより、バランスのよいルアーを提供することができる。【００１４】
第七の発明では、上記ワイヤー部は、上記本体部の上記前側部分から、上記本体部の上記長手方向軸に沿って前側に延在する。これにより、バランスのよいルアーを提供することができる。【００１５】
第八の発明では、上記本体部の上記長手方向軸に沿って延在する上記ワイヤー部は、上記長手方向軸に対して傾斜している。これにより、ブレード部の本体部の長手方向軸に対して垂直方向の高さが針部の高さよりも高くなり、針部が障害物に引っ掛かるのをさらに防ぐことができると共に、効率のよいフィッシングルアーを提供することができる。すなわち、ブレード部を効果的に前後左右に動かすことができ、その結果、フィッシングルアーが回る、及び／又は振動しないということなしに、ゆっくりもしくは速くフィッシングルアーを動かすことができる。【００１６】
第九の発明では、上記ワイヤー部は、上記本体部の上記前側部分に近接した部分の直径が、上記屈曲部の近傍の直径よりも大きくなるように、テーパー状になっている。これにより、水中で大きな魚がフィッシングルアーにかかっても、ワイヤー部が魚の重さで変形しにくいフィッシングルアーを提供することができる。【００１７】
第十の発明では、上記ワイヤー部は、上記本体部の上記前側部分から、上記屈曲部の近傍まで延在する、円筒形部材の中を通る。これにより、水中で大きな魚がフィッシングルアーにかかっても、ワイヤー部が魚の重さで変形しにくいフィッシングルアーを提供することができる。【００１８】
第十一の発明では、上記屈曲部から上記ブレード部の上記複数の穴の別の１つを貫通して上記ブレード部の上記本体部の側に延在する、上記ワイヤー部は、上記屈曲部の近傍の直径が、上記ブレード部の上記本体部の側に延在した部分の直径よりも大きくなるようにテーパー状になっている。これにより、水中で大きな魚がフィッシングルアーにかかっても、ワイヤー部が魚の重さで変形しにくいフィッシングルアーを提供することができる。【００１９】
第十二の発明では、上記ワイヤー部は、上記屈曲部から上記ブレード部の上記複数の穴の別の１つを貫通して上記ブレードの上記本体部の側に延在した所で、上記ワイヤー部が貫通して延在する貫通穴を有する、略球形のビーズを備える。これにより、ワイヤー部がブレード部から抜け落ちるのを防ぐことができると共に、ビーズがブレード部及び／又はワイヤー部に衝突することにより発生する音波の伝播により、集魚効果を高めることができる。【００２０】
第十三の発明では、上記ブレード部の上記振動動作は、水中で、音波の伝播を生成する。
これにより、集魚効果を高めることができる。【００２１】
第十四の発明では、フィッシングルアーを製造する方法であって、前側部分と、後側部分と、長手方向軸とを有する本体部を提供する段階であって、上記本体部は、該本体部の上記前側部分から上記長手方向軸に沿って、延在するワイヤー部と、上記本体部の上記後側部から上記長手方向軸に沿って延在する軸部を有する上記針部とを備え、上記本体部は、該本体部の上記長手方向軸に沿う上記ワイヤー部と上記針部の周りでしっかりと固定される、段階と、上記本体部の上記前側部分に近接して配置される第一の先端部と、第一の側部と、第二の側部と、上記ワイヤー部が貫通する複数の穴とを有するブレード部とを提供する段階と、上記ワイヤー部を、上記ブレード部の上記複数の穴の１つに貫通して上記ブレード部の上記本体部の側とは反対側に延在され、延在した所で、屈曲される屈曲部を備え、上記屈曲部から上記ブレード部の上記複数の穴の別の１つを貫通して上記ブレードの上記本体部の側に延在され、上記ブレード部の大部分を、上記本体部より上側に位置付ける段階と、を有し、水中で上記フィッシングルアーを前側に引くと、上記ブレード部が、上記ワイヤー部を中心にして、上記ブレード部の上記第一の側部と上記第二の側部が上記本体部に向かって交互に振動し、上記ブレード部の振動動作は、上記ワイヤー部と、上記本体部の前方部分に上記ブレード部の上記第一の先端部の近傍が衝突すること、とにより制限される。これにより、フィッシングルアーがローリングして針部が下側を向いて水中（例えば、淡水、海水）の障害物に引っ掛かるのを防止するとともに、この制限されたブレード部の上記第一の側部と上記第二の側部が上記本体部に向かう交互の動きが、素早く、制御された、ブレード部の振動動作を生み出して、餌となる魚やえびなどの甲殻類の動きにまねることができ、集魚効果を生じるフィッシングルアーを提供できある。さらに、常にブレード部の大部分が本体部の上側にあるため、本体部へのブレードの上記第一の側部と上記第二の側部が上記本体部に向かう交互の動作が、フィッシングラインの引っ張りを緩めても生じ、水中（例えば、淡水、海水）におけるルアー落下時には、ルアーが左右に揺れながら落ち、集魚効果が期待できるフィッシングルアーを提供できる。  【００２２】
第十五の発明では、スカート部分を上記本体部に取り付ける段階を含む。これにより、更に集魚効果を高めることのできるフィッシングルアーを提供できる。【００２３】
第十六の発明では、上記ブレード部は、上記第一の先端部と反対に位置する第二の先端部を有し、上記第一の先端部の幅は、上記第二の先端部の幅よりも小さい。これにより、特定の魚に適した動きをルアーに与えることができる。【００２４】
第十七の発明では、上記ブレード部は、上記第一の先端部と反対に位置する第二の先端部を有し、上記第一の先端部の幅は、上記第二の先端部の幅よりも大きい。【００２５】
第十八の発明では、上記針部の上記軸は、上記本体部の上記後側部分から、上記本体部の上記長手方向軸に沿って後側に延在する。これにより、バランスのよいルアーを提供することができる。【００２６】
第十九の発明では、上記ワイヤー部は、上記本体部の上記前側部分から、上記本体部の上記長手方向軸に沿って前側に延在する。これにより、バランスのよいルアーを提供することができる。【００２７】
第二十の発明では、上記本体部の上記長手方向軸に沿って延在する上記ワイヤー部は、上記長手方向軸に対して傾斜して取り付けられる段階を含む。これにより、ブレード部の本体部の長手方向軸に対して垂直方向の高さが針部の高さよりも高くなり、針部が障害物に引っ掛かるのをさらに防ぐことができると共に、ブレード部の動きにおいて効率のよいフィッシングルアーを提供することができる。【００２８】
第二十一の発明では、上記ワイヤー部は、上記本体部の上記前側部分に近接した部分の直径が、上記屈曲部の近傍の直径よりも大きくなるように、テーパー状になっている。これにより、水中で大きな魚がフィッシングルアーにかかっても、ワイヤー部が魚の重さで変形しにくいフィッシングルアーを提供することができる。【００２９】
第二十二の発明では、上記ワイヤー部は、上記本体部の上記前側部分から、上記屈曲部の近傍まで延在する、円筒形部材の中を通る。これにより、水中で大きな魚がフィッシングルアーにかかっても、ワイヤー部が魚の重さで変形しにくいフィッシングルアーを提供することができる。【００３０】
第二十三の発明では、上記屈曲部から上記ブレード部の上記複数の穴の別の１つを貫通して上記ブレード部の上記本体部の側に延在する、上記ワイヤー部は、上記屈曲部の近傍の直径が、上記ブレード部の上記本体部の側に延在した部分の直径よりも大きくなるようにテーパー状になっている。れにより、水中で大きな魚がフィッシングルアーにかかっても、ワイヤー部が魚の重さで変形しにくいフィッシングルアーを提供することができる。【００３１】
第二十四の発明では、上記ワイヤー部は、上記屈曲部から上記ブレード部の上記複数の穴の別の１つを貫通して上記ブレードの上記本体部の側に延在した所で、上記ワイヤー部が貫通して延在する貫通穴を有する、略球形のビーズを備える。これにより、ワイヤー部がブレード部から抜け落ちるのを防ぐことができると共に、ビーズがブレード部及び／又はワイヤー部に衝突することにより発生する音波の伝播（水中（例えば、淡水、海水）でカチャカチャ、コトコトという金属音を発生する）により、集魚効果を高めることができる。そのため、リトリーブ時（引っ張り時）もしくはフォール時（水中落下時）には集魚効果をもたらすことができる。【００３２】
第二十五の発明では、フィッシング方法であって、フィッシングルアーにフィッシングラインを固定する段階であって、上記フィッシングルアーは、第一の幅を有する軸を備える針部と、第二の幅と、前側部分と、後側部分と、長手方向軸とを有する本体部と、上記本体部の上記前側部分から延在しているワイヤー部と、上記本体部の上記前側部分に近接して配置される第一の先端部と、上記ワイヤー部が貫通する複数の穴とを有するブレード部とを、備え、上記針部は、上記本体部の後側部分から延在し、上記ワイヤー部は、上記ブレード部の上記複数の穴の１つを貫通して上記ブレードの上記本体部の側とは反対側に延在し、延在した所で、屈曲される屈曲部を備え、上記屈曲部から上記ブレード部の上記複数の穴の別の１つを貫通して上記ブレード7の上記本体部の側に延在し、上記ワイヤー部の屈曲部にフィッシングラインを取り付けるようになっていて、上記ブレード部の大部分は、上記本体部より上側に位置している、段階と、水中（例えば、淡水、海水）で上記フィッシングルアーを前側に引く段階であって、上記ブレード部が、上記ワイヤー部を中心にして、上記第一の側部と上記第二の側部が上記本体部に向かう交互振動し、上記ブレード部の振動動作は、上記ワイヤー部と、上記本体部の前方部分に上記ブレード部の上記第一の先端部の近傍が衝突すること、とにより制限される。これにより、フィッシングルアー操作中に、フィッシングルアーがローリングして針部が下側を向いて水中（例えば、淡水、海水）の障害物に引っ掛かるのを防止するとともに、この制限されたブレード部の第一の側部と第二の側部の交互の前後の動きと弧のような動きが、素早く、制御された、ブレード部の振動動作を生み出して、餌の動きにまねることができ、集魚効果を生じさせることが可能である。さらに、常にブレード部の大部分が本体部の上側にあるため、本体部へのブレードの第一の側部と第二の側部の交互の前後の動きと弧のような動作が、フィッシングラインの引っ張りを緩めても生じ、水中（例えば、淡水、海水）におけるルアー落下時には、ルアーが左右に揺れながら落ち、集魚効果が期待できる。
【発明の効果】
【００３３】
フィッシングルアーがローリングして針部が下側を向いて水中（例えば、淡水、海水）の障害物に引っ掛かるのを防止するとともに、この制限されたブレード部の横から横への動きが、素早く、制御された、ブレード部の振動動作を生み出して、餌となる魚やえびなどの甲殻類の動きにまねることができ、集魚効果を生じる。さらに、常にブレード部の大部分が本体部の上側にあるため、本体部へのブレード部の第一の側部と第二の側部の交互の前後の動きと弧のような動作が、フィッシングラインの引っ張りを緩めても生じ、水中（例えば、淡水、海水）におけるルアー落下時には、ルアーが左右に揺れながら落ち、集魚効果が期待できる。
【００３４】
本発明のさらなる特徴及び利点は、その好適かつ非限定の実施例についての以下の説明からより明確に理解できよう。
【図面の簡単な説明】
【００３５】
【図１】図１は、本願発明の一実施形態のフィッシングルアーを示す図である。
【図２】図２は、本願発明の一実施形態のフィッシングルアーにフィッシングラインを取り付けた図である。
【図３】図３は、本願発明の一実施形態のフィッシングルアーのフィッシングラインを引いた際のブレードの移動方向と、ブレードの移動に伴う、フィッシングルアーの移動方向を示した図である。
【図４】図４は、本願発明の一実施形態のフィッシングルアーのフィッシングラインを引いた際の、ブレードの移動方向を示した図である。
【図５】図５は、本願発明の一実施形態のブレード部の形状の種類を示した図である。
【図６】図６は、ワイヤー部を本体部の長手方向軸に対して傾斜すると共に、ワイヤー部にビーズを取り付けた、本願発明の一実施形態のフィッシングルアーを示す図である。
【図７】図７は、ワイヤー部の本体部の長手方向軸に対する傾斜角が図６のものとは異なる、本願発明の一実施形態のフィッシングルアーを示す図である。
【図８】図８は、ワイヤー部の本体部の長手方向軸に対する傾斜角が図６、図７のものとは異なる、本願発明の一実施形態のフィッシングルアーを示す図である。
【図９】図９は、本体部の前側部分に近接した部分のワイヤー部の直径が、屈曲部の近傍の直径よりも大きくなるように、テーパー状になっている、本願発明の一実施形態のフィッシングルアーを示す一部断面図である。
【図１０】図１０は、ワイヤー部が、本体部の前側部分から、屈曲部の近傍まで延在する、円筒形部材の中を通る、本願発明の一実施形態のフィッシングルアーを示す一部断面図である。
【図１１】図１１は、屈曲部からブレード部の複数の穴の別の１つを貫通してブレード部の本体部の側に延在するワイヤー部は、屈曲部の近傍の直径が、ブレード部の本体部の側に延在した部分の直径よりも大きくなるようにテーパー状になっている、本願発明の一実施形態のフィッシングルアーを示す一部断面図である。
【図１２】図１２は、ビーズがワイヤー部の先端に固定されている、本願発明の一実施形態のフィッシングルアーを示す図である。
【図１３】図１３は、ビーズがワイヤー部の先端に固定され、かつ別の可動のビーズがブレード部と固定されたビーズとの間に挿入された、本願発明の一実施形態のフィッシングルアーを示す一部断面図である。
【図１４】図１４は、ワイヤー部の先端がループ状になっている、本願発明の一実施形態のフィッシングルアーを示す図である。
【図１５】図１５は、ビーズの拡大図である。
【図１６】図１６は、ワイヤー部の屈曲部に設けたツイスト部を示す図である。
【発明を実施するための形態】
【００３６】
はじめに、図１〜図５を参照して、図１は、本願発明の一実施形態のフィッシングルアー１を示す図である。図２は、本願発明の一実施形態のフィッシングルアー１にフィッシングライン１７を取り付けた図である。図３は、本願発明の一実施形態のフィッシングルアー１のフィッシングライン１７を引いた際のブレード部１３の移動方向と、ブレード部１３の移動に伴う、本体部７とスカート部１５の移動方向を示した図である。図４は、本願発明の一実施形態のフィッシングルアー１のフィッシングライン１７を引いた際の、ブレード部１３の移動方向を示した図である。図５は、本願発明の一実施形態のブレード部１３の種類を示した図である。
【００３７】
フィッシングルアー１は、第一の幅を有する軸２を備える針部３と、第二の幅と、前側部分４と、後側部分６と、長手方向軸５とを有する本体部７と、本体部７の前側部分４から延在しているワイヤー部８と、本体部７の前側部分４に近接して配置される第一の先端部９と、第一の側部１０と、第二の側部１１と、ワイヤー部８が貫通する複数の穴１２とを有するブレード部１３とを、備えている。第一の幅は、第二の幅よりも小さい。ヘッド部は鉛、すず、亜鉛、又はタングステン製であり、ワイヤー部８は、ステンレス、アルミニウム、又はチタニウム合金等の種々の金属製である。針部３は鋼材製であり、ブレード部１３は、ステンレス、アルミニウム、又はチタニウム合金等の種々の金属製、又はプラスチック製である。ブレード部１３の第１の側部１３と第二の側部１１の厚さ（エッジ厚み）は例えば約０．４ｍｍ〜約０．６ｍｍである。ワイヤーの径は例えば約０．８ｍｍ〜約１．２ｍｍである。ブレード部１３は、図５に示すようなハート型等、様々な形状とすることができ、また大きさもその相似形とすることが出来る。
【００３８】
針部３は、本体部７の後側部分６から延在し、ある程度伸びたところで、ブレード部１３が以下のように配置される方向に湾曲され、最終的に後側部分６から延在する方向と反対方向に延びている。
【００３９】
ワイヤー部８は、ブレード部１３の複数の穴１２の１つを貫通してブレード部１３の本体部７側とは反対側に延在し、延在した所で、屈曲される屈曲部１４を備えている。屈曲部１４は、ラインアイとも呼ばれ、ここに、フィッシングライン１７を結ぶようになっている。図示しないスプリットリングを屈曲部１４に取り付けて、スプリットリングを介して、フィッシングライン１７を屈曲部に取り付けてもよい。屈曲部１４は、単に屈曲させるだけでなく、図１６に示すように、ワイヤー部８の一部をねじってループを設け、ツイスト部２４を作ることもできる。これにより、フィッシングライン１の結び目がワイヤー部８に沿ってずれるのを防止することができる。
【００４０】
ワイヤー部８は、屈曲部１４からブレード部１３の複数の穴１２の別の１つを貫通してブレード部１３の本体部７側に延在し、ブレード部１３の大部分は、本体部７より上側に位置している。複数の穴１２は２個以上あればよい。ブレード部１３は、図１のようにワイヤー部８により、２箇所を貫通されているが、ブレード部１３が抜け落ちないように、本体部７側の先端が折れ曲がって複数の穴１２の別の１つからワイヤー部８が抜けないようになっていてもよい。ブレード部１３と本体部７の長手方向軸５との間の角度は約８０度〜１００度であるのが使い易くて安定したフィッシングルアー１を提供出来る。
【００４１】
水中（例えば、淡水、海水）でフィッシングルアー１を前側に引くと、ブレード部１３が、ワイヤー部８を中心にして、ブレード部１３の第一の側部１０と第二の側部１１が本体部７に向かって交互に振動し、ブレード部１３の振動動作は、ワイヤー部８と、本体部７の前側部分４にブレード部１３の第一の先端部９の近傍が衝突すること、とにより制限される。ブレード部１３は図に示すように、第一の側部１０と第二の側部１１が交互に前後に動くと共に、弧のように動き（図３、図４参照）、これに合わせて、フィッシングルアー１が振り子のようにローリングする（酢３参照）。
【００４２】
一実施形態では、本体部７に巻きつけられているスカート部１５を有する（図１参照）。スカート部１５はシリコンラバー製であってもよい。
【００４３】
上述したように、ワイヤー部８の屈曲部１４にフィッシングライン１７が取り付けられるようになっている（図２参照）。
【００４４】
一実施形態では、ブレード部１３は、第一の先端部９と反対に位置する第二の先端部１６を有し、第一の先端部９の幅は、第二の先端部１６の幅よりも小さい（図１参照）。
【００４５】
一実施形態では、ブレード部１３は、第一の先端部９と反対に位置する第二の先端部１６を有し、第一の先端部９の幅は、第二の先端部１６の幅よりも大きい。
【００４６】
一実施形態では、針部３の軸２は、本体部７の後側部分６から、本体部７の長手方向軸５に沿って延在する。
【００４７】
一実施形態では、ワイヤー部８は、本体部７の前側部分４から、本体部７の長手方向軸５に沿って延在する。
【００４８】
次に、図６〜１１を参照して、図６は、ワイヤー部８を本体部７の長手方向軸５に対して傾斜すると共に、ワイヤー部８にビーズ１８を取り付けている、フィッシングルアー１を示す図である。図７は、ワイヤー部８の本体部７の長手方向軸５に対する傾斜角が異なる、フィッシングルアー１を示す図である。図８は、ワイヤー部８の本体部７の長手方向軸５に対する傾斜角がさらに異なる、フィッシングルアー１を示す図である。図９は、ワイヤー部８の一部の直径がテーパー状であることを示す図である。図１０は、ワイヤー部８が円筒形部材２０内を貫通して配置されることを示す図である。図１１は、ワイヤー部の別の一部の直径がテーパー状であることを示す図である。
【００４９】
一実施形態では、本体部７の長手方向軸５に沿って延在するワイヤー部８は、長手方向軸５に対して傾斜している。傾斜Ａは、約２５度〜約４５度の間が好ましい。角度は、ブレード部１３の本体部７の長手方向軸に対して垂直方向の高さが針部５の高さよりも高くなるように設定するのが好ましい。図６は傾斜Ａが約２５度、図７は傾斜Ａが約３０度、図８は傾斜Ａが約３５度であるときのフィッシングルアー１を示している。図６と図７で示されるように、ブレード部１３の複数の穴１２の下側の穴の一は、本体部７より高い位置にあるのが好ましい。
【００５０】
一実施形態では、ワイヤー部８は、本体部７の前側部分４に近接した部分（ロアーアームとも呼びます）の直径が、屈曲部１４の近傍の直径よりも大きくなるように、テーパー状になっている（図９の小径Ｂと大径Ｃを参照のこと）。一実施形態では、屈曲部１４からブレード部１３の複数の穴１２の別の１つを貫通してブレード部１３の本体部７の側に延在する、ワイヤー部８（アッパーアームとも呼びます）は、屈曲部１４の近傍の直径が、ブレード部１３の本体部７側に延在した部分の直径よりも大きくなるようにテーパー状になっている（図１１の小径Ｂと大径Ｃを参照のこと）。
【００５１】
一実施形態では、ワイヤー部８は、本体部７の前側部分４から、屈曲部１４の近傍まで延在する、円筒形部材２０の中を通る。円筒形部材２０は、前側部分４に設けられたスリットに挿入されて本体部に固定されるようになっていてもよい。
【００５２】
さらに、再び図６〜８を参照すると共に、図１２〜１５を参照して、図１２は、ビーズ２３がワイヤー部８の先端に固定されたフィッシングルアー１を示す図である。図１３は、ビーズ２３がワイヤー部８の先端に固定され、かつ別の可動のビーズ１８がブレード部１３と固定されたビーズ２３との間に挿入されたフィッシングルアー１を示す図である。図１４は、ワイヤー部８の先端がループ状２２になっているフィッシングルアー１を示す図である。図１５はビーズ１８、２３の拡大図である。
【００５３】
一実施形態では、ワイヤー部８は、屈曲部１４からブレード部１３の複数の穴１２の別の１つを貫通してブレード部１３の本体部７側に延在した所で、ワイヤー部８が貫通して延在する貫通穴１９を有する、略球形のビーズ１８を備える。ビーズ１８は  プラスチック、又は真鍮製であってもよい。ビーズ１８の直径は、使用するブレード１３の大きさに応じて変更することにより、適切な振り幅のブレード１３を提供できる。図６〜８のビーズ１８はワイヤー部８に固定されていないが、ワイヤー部８から脱落しないように先端が曲げられている。ワイヤー部８の折り曲げられた先端部２１は、使用者が怪我をしないよう、魚へのダメージを少なくするため、及びフィッシングライン１が引っ掛かるのを防止するため、ループ状２２に曲げられていてもよい（図１５参照のこと）。そして、図１２では、ワイヤー８の折り曲げられた先端部２１に、ビーズ２３が、半田、溶接等により固定されている。これにより、固定されたビーズ２３のワイヤー部８からの脱落を防止することができる。図１３に示すように、固定されたビーズ２３とブレード１３の間のワイヤー部８に、別の可動のビーズ１８を備えていてもよい。これにより別の可動のビーズ１８がブレード部１３、ワイヤー部８、及び／又は固定されたビーズ１８に衝突することにより発生する音波の伝播（水中（例えば、淡水、海水）でカチャカチャ、コトコトという金属音を発生する）により、集魚効果を高めることができる。そのため、リトリーブ時（引っ張り時）もしくはフォール時（水中落下時）には集魚効果をもたらすことができる。可動のビーズ１８は、固定されたビーズ２３よりも小型であるのが好ましい。
【００５４】
ブレード部１３の振動動作は、水中（例えば、淡水、海水）で、音波の伝播を生成する。
【００５５】
次に、フィッシングルアー１を製造する方法を説明する。
図１〜３を再び参照して、フィッシングルアー１を製造する方法は、前側部分４と、後側部分６と、長手方向軸とを有する本体部７を提供する段階であって、本体部７は、本体部７の前側部分４から長手方向軸５に沿って、延在するワイヤー部８と、本体部７の後側部分６から長手方向軸５に沿って延在する軸２を有する針部３とを備え、本体部７は、本体部７の長手方向軸５に沿うワイヤー部８と針部３の周りでしっかりと固定される、段階を含む。一実施態様では、本体部７を型どったモールド（金型）の中で、針部３の軸２にワイヤー部８を通して接続させ、モールドに鉛などを流し込む。冷却後にモールドから取り出すと、本体部７、ワイヤー部８及び針部３が一体となったものが製造される。
【００５６】
さらに、本体部７の前側部分４に近接して配置される第一の先端部９と、第一の側部10と、第二の側部11と、ワイヤー部が貫通する複数の穴とを有するブレード部１３とを提供する段階を含む。
【００５７】
ワイヤー部８は、ブレード部１３の複数の穴１２の１つに貫通してブレード部１３の本体部７側とは反対側に延在され、延在した所で、屈曲される屈曲部１４を備え、屈曲部１４からブレード部１３の複数の穴１２の別の１つを貫通してブレード部１３の本体部７側に延在され、ブレード部１３の大部分を、本体部７より上側に位置付ける段階を含む。
【００５８】
水中（例えば、淡水、海水）でフィッシングルアー１を前側に引くと、ブレード部１３が、ワイヤー部８を中心にして、ブレード部１３の第一の側部１０と第二の側部１１が本体部７に向かって交互に振動し、ブレード部１３の振動動作は、ワイヤー部８と、本体部７の前方部分４にブレード部１３の第一の先端部９の近傍が衝突すること、とにより制限される。
【００５９】
さらに、フィッシング方法について説明する。
図１〜３を再び参照して、フィッシング方法は、フィッシングルアー１にフィッシングライン１７を固定する段階であって、フィッシングルアー１は、第一の幅を有する軸２を備える針部３と、第二の幅と、前側部分４と、後側部分６と、長手方向軸５とを有する本体部７と、本体部７の前側部分４から延在しているワイヤー部８と、本体部７の前側部分４に近接して配置される第一の先端部９と、第一の側部１０と、第二の側部１１と、ワイヤー部８が貫通する複数の穴１２とを有するブレード部１３とを、備え、針部３は、本体部７の後側部分６から延在し、ワイヤー部８は、ブレード部１３の複数の穴１２の１つを貫通してブレード部１３の本体部７側とは反対側に延在し、延在したと所で、屈曲される屈曲部１４を備え、屈曲部１４からブレード部１３の複数の穴１２の別の１つを貫通してブレード部１３の本体部７側に延在して、ワイヤー部８の屈曲部１４にフィッシングライン１７を取り付けるようになっていて、ブレード部１３の大部分は、本体部７より上側に位置している、段階を含む。
【００６０】
そして、水中（例えば、淡水、海水）でフィッシングルアー１を引く段階であって、ブレード部１３が、ワイヤー部８を中心にして、ブレード部１３の第一の側部１０と第二の側部１１が本体部７に向かって交互に振動し、ブレード部１３の振動動作は、ワイヤー部８と、本体部７の前方部分４にブレード部１３の第一の先端部９の近傍が衝突すること、により制限される、段階を有する。ブレード部１３は図に示すように、第一の側部１０と第二の側部１１が交互に前後に動くと共に、弧のように動き（図３、図４参照）、これに合わせて、フィッシングルアー１が振り子のようにローリングする（図３参照）。
【００６１】
ブレード部１３の第一の側部１０と第二の側部１１間の幅が狭いと、ブレード部１３の振り幅が小さくなるため、低温の水温の低活性の魚を釣るのに適している。これとは反対に、ブレード部１３の第一の側部１０と第二の側部１１間の幅が広いと、ブレード部１３の振り幅が大きくなるため、高温の水温の高活性の魚を釣るのに適している。しかしながら、いつも同じフィッシングルアー１を使用すると、魚もそのフィッシングルアー１に慣れてしまうので、状況に応じて、幅の狭いブレード部１３と幅の広いブレード部１３とを使い分けるのが好ましい。
【００６２】
以上、図面を参照して、本発明の実施例を詳述してきたが、具体的な構成は、この実施例に限らず、本発明の要旨を逸脱しない程度の設計的変更は、本発明に含まれる。
【符号の説明】
【００６３】
１  フィッシングルアー
２  軸
３  針部
４  前側部分
５  長手方向軸
６  後側部分
７  本体部
８  ワイヤー部
９  第一の先端部
１０  第一の側部
１１  第二の側部
１２  複数の穴
１３  ブレード部
１４  屈曲部
１５  スカート部
１６  第二の先端部
１７  フィッシングライン
１８  ビーズ
１９  貫通穴
２０  円筒形部材
２１  折り曲げられた先端部
２２  ループ状
２３  ビーズ
２４  ツイスト部
Ａ    傾斜
Ｂ    小径
Ｃ    大径
【要約】
水中（例えば、淡水、海水）で落下中であっても振動動作が生じ、餌となる魚やえびなどの甲殻類の動きをまねさせることができ、且つ、障害物に針が引っ掛かることを防ぐことができるフィッシングルアーを提供すること。
ワイヤー部は、ブレード部の複数の穴の１つを貫通してブレードの本体部の側とは反対側に延在し、延在した所で、屈曲される屈曲部を備え、屈曲部からブレード部の複数の穴の別の１つを貫通してブレード部の本体部の側に延在し、ブレード部の大部分は、本体部より上側に位置しており、水中でフィッシングルアーを前側に引くと、ブレード部が、ワイヤー部を中心にして、ブレード部の第一の側部と第二の側部が本体部に向かって交互に振動し、ブレード部の振動動作は、ワイヤー部と、本体部の前方部分にブレード部の第一の先端部の近傍が衝突すること、とにより制限される、フィッシングルアー。【図１】
0006868315.tif 000002
【図２】
0006868315.tif 000003
【図３】
0006868315.tif 000004
【図４】
0006868315.tif 000005
【図５】
0006868315.tif 000006
【図６】
0006868315.tif 000007
【図７】
0006868315.tif 000008
【図８】
0006868315.tif 000009
【図９】
0006868315.tif 000010
【図１０】
0006868315.tif 000011
【図１１】
0006868315.tif 000012
【図１２】
0006868315.tif 000013
【図１３】
0006868315.tif 000014
【図１４】
0006868315.tif 000015
【図１５】
0006868315.tif 000016
【図１６】
0006868315.tif 000017